【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
メッセンジャサービスのチャットルームに含まれるユーザの端末との間でメッセージの送信または受信を行う情報処理端末の制御方法であって、
前記情報処理端末のユーザによる入力に基づき、制御条件を含むフォルダの設定を前記情報処理端末の制御部によって行うことと、
前記フォルダと、前記情報処理端末に記憶された複数のチャットルームのうちの、少なくとも第１チャットルームとを前記制御部によって関連づけることまたは、前記フォルダと、前記第１チャットルームに含まれる第１ユーザとを前記制御部によって関連付けることと、
前記第１チャットルームに含まれるユーザの端末から第１メッセージの送信に基づき、前記制御条件に基づく前記メッセンジャサービスに対する制御を前記制御部によって行うこととを含む。
【請求項２】
請求項１に記載の制御方法であって、
前記制御条件は、時間、位置、国家、アカウント、キーワード、コンテンツのうちの少なくとも１つを前記フォルダに設定することを含む。
【請求項３】
請求項１または請求項２に記載の制御方法であって、
前記制御条件に基づく前記メッセンジャサービスに対する制御は、前記制御条件に基づき、前記第１メッセージの受信通知、前記第１メッセージの表示、前記第１ユーザを含むチャットルームの生成、友達リスト表示のうちの少なくとも１つを実行しないことを含む。
【請求項４】
請求項３に記載の制御方法であって、
前記制御条件は、前記フォルダに特定の時間帯が設定される。
【請求項５】
請求項１に記載の制御方法であって、
前記制御条件は、前記フォルダに特定の時間帯が設定され、
前記特定の時間帯に、前記第１ユーザを前記メッセンジャサービスの友達リストに含めない制御を行うことを含む。
【請求項６】
請求項１から請求項５のいずれか一項に記載の制御方法であって、
前記メッセンジャサービスに対する制御が終了した後、前記第１メッセージを前記情報処理端末の表示部に表示することを含む。
【請求項７】
請求項１に記載の制御方法であって、
前記制御条件は、前記第１ユーザおよび、前記第１チャットルームのうちの少なくとも１つを、前記メッセンジャサービスに対する制御から除外する条件である。
【請求項８】
請求項１に記載の制御方法であって、
前記フォルダに前記制御条件として自動応答機能が設定され、前記情報処理端末のユーザが退席中の場合または、自動応答機能が実行された状態の場合、前記第１メッセージが送信に基づいて、前記情報処理端末のユーザの不在を知らせるメッセージを自動送信することを含む。
【請求項９】
請求項１から請求項８のいずれか一項に記載の制御方法であって、
前記複数のチャットルームは、少なくとも第２チャットルームを含み、
前記第２チャットルームは、第２ユーザを含み、
前記第２ユーザの端末から送信された第２メッセージを前記情報処理端末の通信部によって受信することを含む。
【請求項１０】
請求項１から請求項９のいずれか一項に記載の制御方法であって、
前記第１チャットルームまたは、前記第１ユーザを前記フォルダに関連付けた後、前記フォルダに基づいて第３チャットルーム生成した場合、前記フォルダに関連付けられたユーザを含む前記第３チャットルームを生成することを含む。
【請求項１１】
メッセンジャサービスのチャットルームに含まれるユーザの端末との間でメッセージの送信または受信を行う情報処理端末のコンピュータに実行させるプログラムであって、
前記情報処理端末のユーザによる入力に基づき、制御条件を含むフォルダの設定を前記情報処理端末の制御部によって行うことと、
前記フォルダと、前記情報処理端末に記憶された複数のチャットルームのうち、少なくとも第１チャットルームとを前記制御部によって関連づけることまたは、前記フォルダと、前記第１チャットルームに含まれる第１ユーザとを前記制御部によって関連付けることと、
前記第１チャットルームに含まれるユーザの端末から第１メッセージの送信に基づき、前記制御条件に基づく前記メッセンジャサービスに対する制御を前記制御部によって行うこととを含む。
【請求項１２】
メッセンジャサービスのチャットルームに含まれるユーザの端末との間でメッセージの送信または受信を行う情報処理端末であって、
前記情報処理端末のユーザによる入力に基づき、制御条件を含むフォルダの設定を行う制御部と、
前記フォルダと、前記情報処理端末に記憶された複数のチャットルームのうち、少なくとも第１チャットルームとを関連づけるまたは、前記フォルダと、前記第１チャットルームに含まれる第１ユーザとを関連付ける関連付け部とを含み、
前記制御部は、前記第１チャットルームに含まれるユーザの端末から第１メッセージの送信に基づき、前記制御条件に基づく前記メッセンジャサービスに対する制御を行う。
【手続補正２】
【補正対象書類名】明細書
【補正対象項目名】発明の名称
【補正方法】変更
【補正の内容】
【発明の名称】情報処理端末の制御方法、そのためのプログラム、及び情報処理端末
【手続補正３】
【補正対象書類名】明細書
【補正対象項目名】０００１
【補正方法】変更
【補正の内容】
【０００１】
本発明の実施形態は、情報処理端末の制御方法、そのためのプログラム、および情報処理端末の技術に関する。
【手続補正４】
【補正対象書類名】明細書
【補正対象項目名】０００６
【補正方法】変更
【補正の内容】
【０００６】
特定の条件によって制御されるメッセンジャサービスを提供する情報処理端末の制御方法、そのためのプログラム、および情報処理端末を提供する。
【手続補正５】
【補正対象書類名】明細書
【補正対象項目名】０００８
【補正方法】変更
【補正の内容】
【０００８】
本発明は、メッセンジャサービスのチャットルームに含まれるユーザの端末との間でメッセージの送信または受信を行う情報処理端末の制御方法であって、情報処理端末のユーザによる入力に基づき、制御条件を含むフォルダの設定を情報処理端末の制御部によって行うことと、フォルダと、情報処理端末に記憶された複数のチャットルームのうちの、少なくとも第１チャットルームとを制御部によって関連づけることまたは、フォルダと、第１チャットルームに含まれる第１ユーザとを制御部によって関連付けることと、第１チャットルームに含まれるユーザの端末から第１メッセージの送信に基づき、制御条件に基づくメッセンジャサービスに対する制御を制御部によって行うこととを含む。
【手続補正６】
【補正対象書類名】明細書
【補正対象項目名】０００９
【補正方法】変更
【補正の内容】
【０００９】
本発明は、メッセンジャサービスのチャットルームに含まれるユーザの端末との間でメッセージの送信または受信を行う情報処理端末のコンピュータに実行させるプログラムであって、情報処理端末のユーザによる入力に基づき、制御条件を含むフォルダの設定を情報処理端末の制御部によって行うことと、フォルダと、情報処理端末に記憶された複数のチャットルームのうち、少なくとも第１チャットルームとを制御部によって関連づけることまたは、フォルダと、第１チャットルームに含まれる第１ユーザとを制御部によって関連付けることと、第１チャットルームに含まれるユーザの端末から第１メッセージの送信に基づき、制御条件に基づくメッセンジャサービスに対する制御を制御部によって行うこととを含む。
【手続補正７】
【補正対象書類名】明細書
【補正対象項目名】００１０
【補正方法】変更
【補正の内容】
【００１０】
本発明は、メッセンジャサービスのチャットルームに含まれるユーザの端末との間でメッセージの送信または受信を行う情報処理端末であって、情報処理端末のユーザによる入力に基づき、制御条件を含むフォルダの設定を行う制御部と、フォルダと、情報処理端末に記憶された複数のチャットルームのうち、少なくとも第１チャットルームとを関連づけるまたは、フォルダと、第１チャットルームに含まれる第１ユーザとを関連付ける関連付け部とを含み、制御部は、第１チャットルームに含まれるユーザの端末から第１メッセージの送信に基づき、制御条件に基づくメッセンジャサービスに対する制御を行う。